【手続補正書】
【提出日】令和3年2月9日(2021.2.9)
【手続補正１】
【補正対象書類名】特許請求の範囲
【補正対象項目名】全文
【補正方法】変更
【補正の内容】
【特許請求の範囲】
【請求項１】
ジョブを受け付ける受付手段と、
前記受付手段が受け付けたジョブに基づき１つ以上のシートに画像を印刷する処理を行う印刷手段と、
前記印刷手段に対する調整制御を実行する調整制御手段と、
前記受付手段が受け付けたジョブの開始から完了までの処理時間として、第１処理時間及び前記第１処理時間より長い第２処理時間を予測可能な予測手段と、
前記予測手段が予測した処理時間に基づき前記受付手段が受け付けたジョブの終了時間をユーザに表示する制御を行う制御手段と、
ユーザに表示モードを選択させる選択手段と、
を備え、
前記予測手段は、前記ジョブの開始から終了までの間で前記調整制御手段により実行されうる調整制御に要する調整時間を含めた前記処理時間を予測するとともに、前記第１処理時間として前記調整制御が第１条件で実行される場合の第１調整時間を含めて予測し、前記第２処理時間として前記調整制御が第２条件で実行される場合の前記第１調整時間よりも長い第２調整時間を含めて予測し、
前記制御手段は、前記表示モードとして第１モードが選択されていると、前記受付手段が受け付けたジョブの終了時間として、前記第１処理時間に基づく第１終了時間を表示し、前記表示モードとして第２モードが選択されていると、前記受付手段が受け付けたジョブの終了時間として、前記第２処理時間に基づく第２終了時間を表示する制御を行うことを特徴とする画像形成装置。
【請求項２】
前記第１調整時間は前記調整制御が実行されない場合の時間を含むことを特徴とする請求項１記載の画像形成装置。
【請求項３】
前記第２調整時間は前記調整制御が複数回実行される場合の累積時間を含むことを特徴とする請求項１又は２に記載の画像形成装置。
【請求項４】
前記制御手段は、前記表示モードとして第３モードが選択されていると、前記受付手段が受け付けたジョブの終了時間として、前記第１終了時間と前記第２終了時間の両方をユーザに表示する制御を行うことを特徴とする請求項１乃至３の何れか１項に記載の画像形成装置。
【請求項５】
前記制御手段は、前記受付手段が受け付けた未完了のジョブが複数ある場合、前記未完了のジョブそれぞれについて、前記表示モードの選択に応じて、前記第１終了時間、前記第２終了時間、又は、前記第１終了時間と前記第２終了時間の両方をユーザに表示する制御を行うことを特徴とする請求項４に記載の画像形成装置。
【請求項６】
前記ジョブの第１終了時間は、当該ジョブの第１処理時間と、前記未完了のジョブのうち当該ジョブより先に実行されるジョブの第１処理時間との和であり、
前記ジョブの第２終了時間は、当該ジョブの第２処理時間と、前記未完了のジョブのうち当該ジョブより先に実行されるジョブの第２処理時間との和であることを特徴とする請求項５に記載の画像形成装置。
【請求項７】
前記未完了のジョブうちの実行順序が１番目のジョブの実行を開始していると、
前記ジョブの第１終了時間は、当該ジョブの第１処理時間と、前記未完了のジョブのうち当該ジョブより先に実行されるジョブの第１処理時間との和から、前記１番目のジョブの実行を開始してからの経過時間を減じた時間であり、
前記ジョブの第２終了時間は、当該ジョブの第２処理時間と、前記未完了のジョブのうち当該ジョブより先に実行されるジョブの第２処理時間との和から、前記１番目のジョブの実行を開始してからの経過時間を減じた時間であることを特徴とする請求項５に記載の画像形成装置。
【請求項８】
前記制御手段は、ユーザによる表示指示の入力に応答して、前記終了時間をユーザに表示する制御を行うことを特徴とする請求項１乃至７の何れか１項に記載の画像形成装置。
【請求項９】
前記第１条件又は前記第２条件は、前記印刷手段が画像を印刷したシートの枚数に関する条件を含むことを特徴とする請求項１乃至８の何れか１項に記載の画像形成装置。
【請求項１０】
前記第１条件又は前記第２条件は、温度変化に関する条件を含むことを特徴とする請求項１乃至８の何れか１項に記載の画像形成装置。
【請求項１１】
ジョブを受け付ける受付手段と、
前記受付手段が受け付けたジョブに基づき１つ以上のシートに画像を印刷する処理を行う印刷手段と、
前記印刷手段に対する調整制御を実行する調整制御手段と、
前記受付手段が受け付けたジョブの開始から完了までの処理時間として、第１処理時間及び前記第１処理時間より長い第２処理時間を予測可能な予測手段と、
前記予測手段が予測した処理時間に基づき前記受付手段が受け付けたジョブの終了時間をユーザに表示する制御を行う制御手段と、
ユーザに表示モードを選択させる選択手段と、
を備える画像形成装置の制御方法であって、
前記予測手段により、前記ジョブの開始から終了までの間で前記調整制御手段により実行されうる調整制御に要する調整時間を含めた前記処理時間を予測するとともに、前記第１処理時間として前記調整制御が第１条件で実行される場合の第１調整時間を含めて予測し、前記第２処理時間として前記調整制御が第２条件で実行される場合の前記第１調整時間よりも長い第２調整時間を含めて予測し、
前記制御手段により、前記表示モードとして第１モードが選択されていると、前記受付手段が受け付けたジョブの終了時間として、前記第１処理時間に基づく第１終了時間を表示し、前記表示モードとして第２モードが選択されていると、前記受付手段が受け付けたジョブの終了時間として、前記第２処理時間に基づく第２終了時間を表示する制御を行うことを特徴とする画像形成装置の制御方法。
【手続補正２】
【補正対象書類名】明細書
【補正対象項目名】発明の名称
【補正方法】変更
【補正の内容】
【発明の名称】画像形成装置及び画像形成装置の制御方法
【手続補正３】
【補正対象書類名】明細書
【補正対象項目名】０００１
【補正方法】変更
【補正の内容】
【０００１】
本発明は、画像形成装置及び画像形成装置の制御方法に関し、特に、ジョブの終了時間を予測する技術に関する。
【手続補正４】
【補正対象書類名】明細書
【補正対象項目名】０００５
【補正方法】変更
【補正の内容】
【０００５】
本発明は、ジョブの終了時間を適切にユーザに提示できる技術を提供するものである。
【手続補正５】
【補正対象書類名】明細書
【補正対象項目名】０００６
【補正方法】変更
【補正の内容】
【０００６】
本発明に一態様によると、画像形成装置は、ジョブを受け付ける受付手段と、前記受付手段が受け付けたジョブに基づき１つ以上のシートに画像を印刷する処理を行う印刷手段と、前記印刷手段に対する調整制御を実行する調整制御手段と、前記受付手段が受け付けたジョブの開始から完了までの処理時間として、第１処理時間及び前記第１処理時間より長い第２処理時間を予測可能な予測手段と、前記予測手段が予測した処理時間に基づき前記受付手段が受け付けたジョブの終了時間をユーザに表示する制御を行う制御手段と、ユーザに表示モードを選択させる選択手段と、を備え、前記予測手段は、前記ジョブの開始から終了までの間で前記調整制御手段により実行されうる調整制御に要する調整時間を含めた前記処理時間を予測するとともに、前記第１処理時間として前記調整制御が第１条件で実行される場合の第１調整時間を含めて予測し、前記第２処理時間として前記調整制御が第２条件で実行される場合の前記第１調整時間よりも長い第２調整時間を含めて予測し、前記制御手段は、前記表示モードとして第１モードが選択されていると、前記受付手段が受け付けたジョブの終了時間として、前記第１処理時間に基づく第１終了時間を表示し、前記表示モードとして第２モードが選択されていると、前記受付手段が受け付けたジョブの終了時間として、前記第２処理時間に基づく第２終了時間を表示する制御を行うことを特徴とする。